(57)【要約】【課題】  画像形成装置において、像担持体に供給されるトナーの量を調整して、形成される画像の濃度を制御するにあたり、形成される画像にリークによる画像ノイズが発生したり、形成される画像にカスレが発生するのを抑制する。【解決手段】  静電潜像が形成される像担持体1と、トナー担持体11の表面に保持させたトナーtを像担持体と対向する現像領域に搬送させて、像担持体に形成された静電潜像を現像する現像装置10と、トナー担持体と像担持体との間に少なくとも矩形状の交流電圧を印加させる交流電源15bとを備えた画像形成装置において、矩形状の交流電圧におけるトナーをトナー担持体に戻す回収側のピーク電位Vp1からトナーを像担持体に供給する現像側のピーク電位Vp2に移行する電圧変化の傾きを変更させて、形成される画像の濃度を変化させるようにした。【選択図】  図２
2005309266.tif 000002
【特許請求の範囲】
【請求項１】
静電潜像が形成される像担持体と、トナー担持体の表面にトナーを保持させたトナーを像担持体と対向する現像領域に搬送させて、像担持体に形成された静電潜像を現像する現像装置と、上記のトナー担持体と像担持体との間に少なくとも矩形状の交流電圧を印加させる交流電源とを備えた画像形成装置において、上記の矩形状の交流電圧におけるトナーをトナー担持体に戻す回収側のピーク電位からトナーを像担持体に供給する現像側のピーク電位に移行する電圧変化の傾きを変更させて、形成される画像の濃度を変化させることを特徴とする画像形成装置。
【請求項２】
静電潜像が形成される像担持体と、トナー担持体の表面に保持させたトナーを像担持体と対向する現像領域に搬送させて、像担持体に形成された静電潜像を現像する現像装置と、上記のトナー担持体と像担持体との間に少なくとも矩形状の交流電圧を印加させる交流電源とを備えた画像形成装置において、上記の矩形状の交流電圧におけるトナーを像担持体に供給する現像側のピーク電位からトナーをトナー担持体に戻す回収側のピーク電位に移行する電圧変化の傾きを変更させて、形成される画像の濃度を変化させることを特徴とする画像形成装置。
【発明の詳細な説明】
【技術分野】
【０００１】
この発明は、複写機やプリンター等の画像形成装置に係り、特に、静電潜像が形成される像担持体と、トナー担持体の表面に保持させたトナーを像担持体と対向する現像領域に搬送させて、像担持体に形成された静電潜像を現像する現像装置と、上記のトナー担持体と像担持体との間に少なくとも矩形状の交流電圧を印加させる交流電源とを備えた画像形成装置において、形成される画像の濃度を調整する場合において、リークによる画像ノイズや、画像カスレが発生するのを抑制するようにした点に特徴を有するものである。
【背景技術】
【０００２】
従来より、複写機やプリンター等の画像形成装置において、画像形成を行うにあたっては、像担持体に形成された静電潜像に現像装置からトナーを供給して、静電潜像を現像するようにしている。
【０００３】
そして、上記のような現像装置の１つとして、図１に示すような現像装置が知られている。
【０００４】
ここで、同図に示す現像装置１０においては、現像領域において像担持体１と所要間隔ｄを介して対向するようにしてトナー担持体１１を設け、このトナー担持体１１と像担持体１とを回転させ、現像装置１０内に収容されたトナーｔを送り部材１２によって上記のトナー担持体１１と接触して回転する供給ローラ１３に送り、この供給ローラ１３から上記のトナー担持体１１の表面にトナーｔを供給するようになっている。
【０００５】
そして、このようにトナーｔが供給されたトナー担持体１１の表面に規制部材１４を接触させ、この規制部材１４によりトナー担持体１１の表面に供給されたトナーｔの量を規制すると共にこのトナーｔを帯電させた後、上記のトナー担持体１１によってこのトナーｔを像担持体１と対向する現像領域に導くと共に、このトナー担持体１１と像担持体１との間に、直流電源１５ａと交流電源１５ｂとから、直流電圧と矩形状の交流電圧とが重畳された現像バイアス電圧を印加させて、像担持体１に形成された静電潜像の部分にトナーｔを供給して現像を行うようになっている。
【０００６】
また、このような現像装置を用いて現像を行うにあたり、像担持体１に供給されるトナーｔの量を調整して、形成される画像の濃度を制御するにあたっては、上記の直流電源１５ａから印加させる直流電圧を変化させたり、上記の交流電源１５ｂから印加させる矩形状の交流電圧のピーク・ピーク値Ｖｐｐを変化させたり、矩形状の交流電圧において、トナーを像担持体に供給する現像側の作用時間と、トナーをトナー担持体に戻す回収側の作用時間との比（Ｄｕｔｙ比）を変更させることが行われていた（例えば、特許文献１及び特許文献２参照。）。
【０００７】
しかし、上記のようにして像担持体１に供給されるトナーｔの量を調整するようにした場合、トナー担持体１１と像担持体１との間でリークが発生しやすくなり、形成される画像にリークによる画像ノイズが発生したり、また形成される画像にカスレが発生しやすくなるなどの問題が生じた。
【特許文献１】特開平７−５６４２４号公報
【特許文献２】特開昭６０−７３６４７号公報
【発明の開示】
【発明が解決しようとする課題】
【０００８】
この発明は、静電潜像が形成される像担持体と、トナー担持体の表面にトナーを保持させたトナーを像担持体と対向する現像領域に搬送させて、像担持体に形成された静電潜像を現像する現像装置と、上記のトナー担持体と像担持体との間に少なくとも矩形状の交流電圧を印加させる交流電源とを備えた画像形成装置を用いて画像形成を行う場合における上記のような問題を解決することを課題とするものである。
【０００９】
すなわち、この発明における画像形成装置においては、像担持体に供給されるトナーの量を調整して、形成される画像の濃度を制御するにあたり、形成される画像にリークによる画像ノイズが発生したり、形成される画像にカスレが発生するのを抑制することを課題とするものである。
【課題を解決するための手段】
【００１０】
この発明における第１の画像形成装置においては、上記のような課題を解決するため、静電潜像が形成される像担持体と、トナー担持体の表面にトナーを保持させたトナーを像担持体と対向する現像領域に搬送させて、像担持体に形成された静電潜像を現像する現像装置と、上記のトナー担持体と像担持体との間に少なくとも矩形状の交流電圧を印加させる交流電源とを備えた画像形成装置において、上記の矩形状の交流電圧におけるトナーをトナー担持体に戻す回収側のピーク電位からトナーを像担持体に供給する現像側のピーク電位に移行する電圧変化の傾きを変更させて、形成される画像の濃度を変化させるようにしたのである。
【００１１】
また、この発明における第２の画像形成装置においては、上記のような課題を解決するため、静電潜像が形成される像担持体と、トナー担持体の表面に保持させたトナーを像担持体と対向する現像領域に搬送させて、像担持体に形成された静電潜像を現像する現像装置と、上記のトナー担持体と像担持体との間に少なくとも矩形状の交流電圧を印加させる交流電源とを備えた画像形成装置において、上記の矩形状の交流電圧におけるトナーを像担持体に供給する現像側のピーク電位からトナーをトナー担持体に戻す回収側のピーク電位に移行する電圧変化の傾きを変更させて、形成される画像の濃度を変化させるようにしたのである。
【発明の効果】
【００１２】
ここで、この発明における第１の画像形成装置のように、トナー担持体の表面に保持させたトナーを像担持体と対向する現像領域に搬送させ、このトナー担持体と像担持体との間に少なくとも矩形状の交流電圧を印加させて、像担持体に形成された静電潜像を現像するあたり、上記の矩形状の交流電圧において、トナーをトナー担持体に戻す回収側のピーク電位からトナーを像担持体に供給する現像側のピーク電位に移行する電圧変化の傾きを変更させると、この傾きが大きくなるに従って形成される画像の濃度が低下するようになる。
【００１３】
この結果、この発明における第１の画像形成装置においては、トナー担持体と像担持体との間に印加させる直流電圧を変化させたり、上記の矩形状の交流電圧のピーク・ピーク値Ｖｐｐを変化させたり、トナーを像担持体に供給する現像側の作用時間とトナーをトナー担持体に戻す回収側の作用時間との比（Ｄｕｔｙ比）を変更させなくても、上記のようにトナーをトナー担持体に戻す回収側のピーク電位からトナーを像担持体に供給する現像側のピーク電位に移行する電圧変化の傾きを変更させることにより、形成される画像の濃度を適切に設定できるようになると共に、形成される画像にリークによる画像ノイズが発生したり、形成される画像にカスレが発生するのも抑制されるようになる。
【００１４】
また、この発明における第２の画像形成装置のように、トナー担持体の表面に保持させたトナーを像担持体と対向する現像領域に搬送させ、このトナー担持体と像担持体との間に少なくとも矩形状の交流電圧を印加させて、像担持体に形成された静電潜像を現像するあたり、上記の矩形状の交流電圧において、トナーを像担持体に供給する現像側のピーク電位からトナーをトナー担持体に戻す回収側のピーク電位に移行する電圧変化の傾きを変更させると、この傾きが大きくなるに従って形成される画像の濃度が増加するようになる。
【００１５】
この結果、この発明における第２の画像形成装置においても、トナー担持体と像担持体との間に印加させる直流電圧を変化させたり、上記の矩形状の交流電圧のピーク・ピーク値Ｖｐｐを変化させたり、トナーを像担持体に供給する現像側の作用時間とトナーをトナー担持体に戻す回収側の作用時間との比（Ｄｕｔｙ比）を変更させなくても、上記のようにトナーを像担持体に供給する現像側のピーク電位からトナーをトナー担持体に戻す回収側のピーク電位に移行する電圧変化の傾きを変更させることにより、形成される画像の濃度を適切に設定できるようになると共に、形成される画像にリークによる画像ノイズが発生したり、形成される画像にカスレが発生するのも抑制されるようになる。
【発明を実施するための最良の形態】
【００１６】
以下、この発明の実施形態に係る画像形成装置を添付図面に基づいて具体的に説明する。
【００１７】
ここで、この実施形態における画像形成装置においても、図２に示すように、図１に示した従来の画像形成装置と同様に、現像領域において像担持体１と所要間隔ｄを介して対向するようにしてトナー担持体１１を設け、このトナー担持体１１と像担持体１とを回転させ、現像装置１０内に収容されたトナーｔを送り部材１２によって上記のトナー担持体１１と接触して回転する供給ローラ１３に送り、この供給ローラ１３から上記のトナー担持体１１の表面にトナーｔを供給するようになっている。
【００１８】
また、このようにトナーｔが供給されたトナー担持体１１の表面に規制部材１４を接触させ、この規制部材１４によりトナー担持体１１の表面に供給されたトナーｔの量を規制すると共にこのトナーｔを帯電させた後、上記のトナー担持体１１によってこのトナーｔを像担持体１と対向する現像領域に導くようにしている。
【００１９】
そして、この実施形態における画像形成装置においては、上記のトナー担持体１１と像担持体１との間に、直流電源１５ａと交流電源１５ｂとから、直流電圧Ｖｄｃと矩形状の交流電圧Ｖａｃとが重畳された現像バイアス電圧を印加させ、像担持体１に形成された静電潜像の部分にトナーｔを供給して、静電潜像を現像するにあたり、上記の交流電源１５ｂから印加させる矩形状の交流電圧Ｖａｃの波形をＣＰＵ等の制御装置２０によって変更させて、トナー担持体１１から像担持体１に供給されるトナーｔの量を調整し、形成される画像の濃度を適切に設定するようにしている。
【００２０】
ここで、上記の交流電圧Ｖａｃの１周期において、現像側の電圧を印加させる時間と、回収側の電圧を印加させる時間とは同じであっても異なっていてもよいが、濃度設定のために電圧変化の傾きを変更させる際の複雑さを低減させるためには、現像側の電圧を印加させる時間と、回収側の電圧を印加させる時間とを同じ、すなわちＤｕｔｙ比を５０％にすることが好ましい。
【００２１】
そして、上記のように制御装置２０によって交流電源１５ｂから印加させる矩形状の交流電圧Ｖａｃの波形を変更させるにあたっては、上記の交流電圧Ｖａｃのピーク・ピーク値ＶｐｐやＤｕｔｙ比を変更させることなく、図３に示すように、トナーｔをトナー担持体１１に戻す回収側のピーク電位Ｖｐ１からトナーｔを像担持体１に供給する現像側のピーク電位Ｖｐ２に移行する電圧変化の傾きを適当に変更させるようにしたり、図４に示すように、トナーｔを像担持体１に供給する現像側のピーク電位Ｖｐ２からトナーｔをトナー担持体１１に戻す回収側のピーク電位Ｖｐ１に移行する電圧変化の傾きを適当に変更させるようにしている。
【００２２】
ここで、上記の図３に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させ、その傾きを次第に大きくして、回収側及び現像側のピーク電位Ｖｐ１，Ｖｐ２の時間ｔ１，ｔ２を短くすると、形成される画像の濃度が次第に減少するようになり、画像濃度を低くしたい場合には、この傾きを適切に設定して、適切な画像濃度が得られるようにする。
【００２３】
一方、上記の図４に示すように、トナーｔを像担持体１に供給する現像側のピーク電位Ｖｐ２からトナーｔをトナー担持体１１に戻す回収側のピーク電位Ｖｐ１に移行する電圧変化の傾きを変更させ、その傾きを次第に大きくして、現像側及び回収側のピーク電位Ｖｐ１，Ｖｐ２の時間ｔ１，ｔ２を短くすると、形成される画像の濃度が次第に増加するようになり、画像濃度を高くしたい場合には、この傾きを適切に設定して、適切な画像濃度が得られるようにする。
【００２４】
また、上記のようにトナーｔをトナー担持体１１に戻す回収側のピーク電位Ｖｐ１からトナーｔを像担持体１に供給する現像側のピーク電位Ｖｐ２に移行する電圧変化の傾きや、トナーｔを像担持体１に供給する現像側のピーク電位Ｖｐ２からトナーｔをトナー担持体１１に戻す回収側のピーク電位Ｖｐ１に移行する電圧変化の傾きを変更させて、形成される画像の濃度を調整する場合、トナー担持体１１と像担持体１との間に印加させる直流電圧Ｖｄｃを変化させたり、矩形状の交流電圧のピーク・ピーク値ＶｐｐやＤｕｔｙ比を変更させる場合のように、リークによる画像ノイズが発生したり、形成される画像にカスレが発生するのが抑制される。
【００２５】
次に、上記の実施形態に示すように、トナーｔをトナー担持体１１に戻す回収側のピーク電位Ｖｐ１からトナーｔを像担持体１に供給する現像側のピーク電位Ｖｐ２に移行する電圧変化の傾きや、トナーｔを像担持体１に供給する現像側のピーク電位Ｖｐ２からトナーｔをトナー担持体１１に戻す回収側のピーク電位Ｖｐ１に移行する電圧変化の傾きを変更させて、形成される画像の濃度を調整できると共に、リークの発生等が抑制されることを実験例に基づいて明らかにする。
【００２６】
ここで、実験例においては、負帯電性のトナーｔを用いた市販のプリンター（Ｍｉｎｏｌｔａ−ＱＭＳ社製：ｍａｇｉｃｏｌｏｒ２３００ＤＬ）を改造し、上記の実施形態に示すように、交流電源１５ｂからトナー担持体１１と像担持体１との間に印加させる矩形状の交流電圧Ｖａｃの波形を変更できるようにすると共に、直流電源１５ａから印加させる直流電圧Ｖｄｃを変更できるようにした。なお、現像領域において像担持体１とトナー担持体１１とが対向する間隔ｄは１３５μｍである。
【００２７】
そして、上記の交流電源１５ｂからトナー担持体１１と像担持体１との間に印加させる基本となる矩形状の交流電圧Ｖａｃとして、ピーク・ピーク値Ｖｐｐが１６００Ｖ、Ｄｕｔｙ比が５０％、周波数が２０００Ｈｚになったものを用い、実験例１では、上記の図３に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させ、また実験例２では、上記の図４に示すように、トナーｔを像担持体１に供給する現像側のピーク電位Ｖｐ２からトナーｔをトナー担持体１１に戻す回収側のピーク電位Ｖｐ１に移行する電圧変化の傾きを変更させて、画像をプリントするようにした。
【００２８】
ここで、実験例１では、図３に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させるにあたり、１周期Ｔに対する回収側のピーク電位Ｖｐ１の時間ｔ１の比率［（ｔ１／Ｔ）×１００］及び現像側のピーク電位Ｖｐ２の時間ｔ２の比率［（ｔ２／Ｔ）×１００］が、それぞれ０％，５％，１２．５％，２５％，３７．５％，５０％になった６種類の波形の交流電圧Ｖａｃ１〜Ｖａｃ６を用いると共に、上記の直流電源１５ａから印加させる直流電圧Ｖｄｃを−３２０Ｖ，−３７０Ｖ及び−４２０Ｖに設定して、それぞれ黒ベタ画像をプリントし、得られた各画像の透過濃度（Ｔ．Ｄ．）を透過濃度計（マクベス社製：ＴＤ９０４）を用いて測定し、その結果を下記の表１及び図５に示した。なお、図５においては、直流電圧Ｖｄｃが−３２０Ｖの時の結果を○と実線で、直流電圧Ｖｄｃが−３７０Ｖの時の結果を□と破線で、直流電圧Ｖｄｃが−４２０Ｖの時の結果を△と一点鎖線で示した。
【００２９】
【表１】
2005309266.tif 000003
【００３０】
この結果、図３に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させる場合、１周期Ｔに対する回収側のピーク電位Ｖｐ１の時間ｔ１の比率及び現像側のピーク電位Ｖｐ２の時間ｔ２の比率が小さくなって、トナーｔをトナー担持体１１に戻す回収側のピーク電位Ｖｐ１からトナーｔを像担持体１に供給する現像側のピーク電位Ｖｐ２に移行する電圧変化の傾きが大きくなるに従い、形成された画像の透過濃度（Ｔ．Ｄ．）が低下していた。
【００３１】
また、実験例２では、図４に示すように、トナーｔを像担持体１に供給する現像側のピーク電位Ｖｐ２からトナーｔをトナー担持体１１に戻す回収側のピーク電位Ｖｐ１に移行する電圧変化の傾きを変更させるにあたり、１周期Ｔに対する回収側のピーク電位Ｖｐ１の時間ｔ１の比率［（ｔ１／Ｔ）×１００］及び現像側のピーク電位Ｖｐ２の時間ｔ２の比率［（ｔ２／Ｔ）×１００］が、それぞれ５０％，３７．５％，２５％，１２．５％になった４種類の波形の交流電圧Ｖａｃ６〜Ｖａｃ９を用いると共に、上記の直流電源１５ａから印加させる直流電圧Ｖｄｃを−２２０Ｖ及び−２７０Ｖに設定して、それぞれ黒ベタ画像をプリントし、得られた各画像の透過濃度（Ｔ．Ｄ．）を測定し、その結果を下記の表２及び図６に示した。なお、図６においては、直流電圧Ｖｄｃが−２２０Ｖの時の結果を●と実線で、直流電圧Ｖｄｃが−２７０Ｖの時の結果を▲と一点鎖線で示した。
【００３２】
【表２】
2005309266.tif 000004
【００３３】
この結果、図４に示すように、トナーｔを像担持体１に供給する現像側のピーク電位Ｖｐ２からトナーｔをトナー担持体１１に戻す回収側のピーク電位Ｖｐ１に移行する電圧変化の傾きを変更させる場合、１周期Ｔに対する回収側のピーク電位Ｖｐ１の時間ｔ１の比率及び現像側のピーク電位Ｖｐ２の時間ｔ２の比率が小さくなって、トナーｔをトナー担持体１１に戻す回収側のピーク電位Ｖｐ１からトナーｔを像担持体１に供給する現像側のピーク電位Ｖｐ２に移行する電圧変化の傾きが大きくなるに従い、形成された画像の透過濃度（Ｔ．Ｄ．）が増加していた。
【００３４】
そして、上記のような画像形成装置を使用するにあたっては、十分な画像濃度の画像が得られるようにする一方、トナーの消費量を少なくするために、形成された画像の透過濃度（Ｔ．Ｄ．）が通常１．２〜１．６の範囲になるように設定することが好ましい。
【００３５】
また、図３に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させ、上記のように１周期Ｔに対する回収側のピーク電位Ｖｐ１の時間ｔ１の比率及び現像側のピーク電位Ｖｐ２の時間ｔ２の比率が、それぞれ０％，５％，１２．５％，２５％，３７．５％，５０％になった６種類の波形の交流電圧Ｖａｃ１〜Ｖａｃ６を用い、それぞれ透過濃度（Ｔ．Ｄ．）が１．５の画像が得られるように、上記の直流電源１５ａから印加させる直流電圧Ｖｄｃを、下記の表３に示すように、−４８５Ｖ，−４７０Ｖ，−４３５Ｖ，−４０５Ｖ，−３５５Ｖ及び−３００Ｖに設定して、それぞれ黒ベタ画像のプリントを行うと共に、各交流電圧Ｖａｃ１〜Ｖａｃ６のピーク・ピーク値Ｖｐｐを変更させて、画像部においてリークによる画像ノイズが発生するピーク・ピーク値Ｖｐｐの下限値を求め、これをリーク発生Ｖｐｐとして表３に示した。
【００３６】
また、上記の場合と同じ条件で、各交流電圧Ｖａｃ１〜Ｖａｃ６のピーク・ピーク値Ｖｐｐを変更させて、２ドット×２ドットの画像パターンが２ドット分の間隔を介して格子状に並んだドット画像のプリントを行い、カスレが発生するピーク・ピーク値Ｖｐｐの上限値を求め、その結果をカスレ発生Ｖｐｐとして表３に示した。
【００３７】
また、上記のリーク発生Ｖｐｐとカスレ発生Ｖｐｐとの差、すなわちリークによる画像ノイズの発生もカスレの発生も生じないＶｐｐの幅を求め、これを許容Ｖｐｐ幅として表３に示した。
【００３８】
【表３】
2005309266.tif 000005
【００３９】
この結果、図３に示すように、トナーｔをトナー担持体１１に戻す回収側のピーク電位Ｖｐ１からトナーｔを像担持体１に供給する現像側のピーク電位Ｖｐ２に移行する電圧変化の傾きを変更させる場合、１周期Ｔに対する回収側のピーク電位Ｖｐ１の時間ｔ１の比率及び現像側のピーク電位Ｖｐ２の時間ｔ２の比率が小さくなって、トナーｔをトナー担持体１１に戻す回収側のピーク電位Ｖｐ１からトナーｔを像担持体１に供給する現像側のピーク電位Ｖｐ２に移行する電圧変化の傾きが大きくなるに従って、リークによる画像ノイズの発生もカスレの発生も生じない許容Ｖｐｐ幅が大きくなり、リークによる画像ノイズやカスレの発生も抑制されやすくなっていた。
【図面の簡単な説明】
【００４０】
【図１】従来の画像形成装置において、現像装置により像担持体に形成された静電潜像を現像する状態を示した概略説明図である。
【図２】この発明の実施形態に係る画像形成装置において、現像装置により像担持体に形成された静電潜像を現像する状態を示した概略説明図である。
【図３】上記の実施形態に係る画像形成装置において、交流電源から印加させる矩形状の交流電圧の波形を変更させるにあたり、トナーをトナー担持体に戻す回収側のピーク電位からトナーを像担持体に供給する現像側のピーク電位に移行する電圧変化の傾きを変更させた交流電圧の波形を示した図である。
【図４】上記の実施形態に係る画像形成装置において、交流電源から印加させる矩形状の交流電圧の波形を変更させるにあたり、トナーを像担持体に供給する現像側のピーク電位からトナーをトナー担持体に戻す回収側のピーク電位に移行する電圧変化の傾きを変更させた交流電圧の波形を示した図である。
【図５】上記の実施形態に係る画像形成装置を用いた実験例１において、トナーをトナー担持体に戻す回収側のピーク電位からトナーを像担持体に供給する現像側のピーク電位に移行する電圧変化の傾きが変化するのに伴って、形成された画像の透過濃度（Ｔ．Ｄ．）が変化する状態を示した図である。
【図６】上記の実施形態に係る画像形成装置を用いた実験例２において、トナーを像担持体に供給する現像側のピーク電位からトナーをトナー担持体に戻す回収側のピーク電位に移行する電圧変化の傾きが変化するのに伴って、形成された画像の透過濃度（Ｔ．Ｄ．）が変化する状態を示した図である。
【符号の説明】
【００４１】
１  像担持体
１０  現像装置
１１  トナー担持体
１２  送り部材
１３  供給ローラ
１４  規制部材
１５ａ  直流電源
１５ｂ  交流電源
２０  制御装置
ｄ  トナー担持体と像担持体との間隔
ｔ  トナー
Ｔ  １周期
ｔ１  回収側のピーク電位の時間
ｔ２  現像側のピーク電位の時間
Ｖｄｃ  直流電圧
Ｖｐｐ  交流電圧のピーク・ピーク値
Ｖｐ１  回収側のピーク電位
Ｖｐ２  現像側のピーク電位
【図１】
2005309266.tif 000006
【図２】
2005309266.tif 000007
【図３】
2005309266.tif 000008
【図４】
2005309266.tif 000009
【図５】
2005309266.tif 000010
【図６】
2005309266.tif 000011